(57)【要約】【課題】パトローネを容易に取出せる写真フイルムカートリッジを提供する。【解決手段】写真フイルムカートリッジは、回転自在な巻軸を備えた遮光性のパトローネ１４を収納するパトローネ室２０と、一端を巻軸に係止してロール状にしたフイルムを収納するフイルムロール室２２と、フイルムに展延部分を形成し、展延部分の前面に１コマ分の露光を与える露光用開口２６を設けたブリッジ部とを備え、パトローネ室２０の底面に開閉自在の開放蓋１８ａを設け、開放蓋１８ａはカートリッジ本体のケース部材に設けられた溝１８ｃを回転中心として開閉され、開放蓋１８ａに設けられた突起部１８ｂが、パトローネ室２０の前面下方に設けられた開口２０ａに係合することにより開放蓋１８ａが閉じられるようにしたものであり、突起１８ｂを押圧することにより、開放蓋１８ａは容易に開放され、パトローネ１４を外部に取り出せるようにしたものである。【選択図】　　　　図３
2004004172.tif 000002
【特許請求の範囲】
【請求項１】
カメラに装填して使用される写真フイルムカートリッジにおいて、
回転自在な巻軸を備えた遮光性のフイルムパトローネを収納するパトローネ室と、一端を前記巻軸に係止してロール状にしたフイルムを収納するフイルムロール室と、前記パトローネ室と前記フイルムロール室とを接続してフイルムに展延部分を形成し、前記展延部分の前面に１コマ分の露光を与える露光用開口を設けたブリッジ部とを有し、前記パトローネ室に蓋を設けることにより、部品を破損させること無く前記カートリッジ本体から前記パトローネを外部に取り出せるようにしたことを特徴とする写真フイルムカートリッジ。
【請求項２】
前記蓋は、カートリッジ本体のケース部材に設けられた溝を回転中心として開閉されることを特徴とする請求項１記載の写真フイルムカートリッジ。
【請求項３】
前記蓋には突起部が設けられており、前記パトローネ室に設けられた開口に前記突起部が係合することにより前記蓋が閉じられることを特徴とする請求項１または請求項２記載の写真フイルムカートリッジ。
【発明の詳細な説明】
【０００１】
【発明の属する技術分野】
本発明は、カメラに装填して使用される２軸方式の写真フイルムカートリッジに関するものである。
【０００２】
【従来の技術】
製造時に予めフイルムが装填されたレンズ付きフイルムユニットは、すぐに写真撮影ができ、その操作も簡単であることから一般に広く利用されている。レンズ付きフイルムユニットは使用後メーカーによって回収され、機能ユニット単位あるいは部品単位で検査を行ってリユースしたり、また原材料としてのリサイクルを行っている。ところが、最近のレンズ付きフイルムユニットには信頼性を高めるために様々な改良が加えられており、新たにフイルムを装填すればそのままでも使用できるものが少なくない。
【０００３】
このような背景から、レンズ付きフイルムユニットをユーザーが簡単にフイルム交換できる一般の簡易型カメラとして製品化する試みがなされている。フイルム交換が可能な一般のカメラとしては、１３５フイルム、ＡＰＳフイルムを装填するものが広く普及しており、現像所における後処理のシステムも整備され、効率的かつローコストでプリントサービスが提供できるようになっている。
【０００４】
また、特開昭６３−１９９３５０号公報に記載されているように、１３５フイルム及び１３５パトローネを収納する２軸方式の写真フイルムカートリッジが知られており、フイルムの予備巻上げやフイルムの巻き戻し操作を必要としないため、レンズ付きフイルムユニットに使い慣れたユーザーにとってフイルムの交換操作が簡便であり、この２軸方式の写真フイルムカートリッジは非常に有効である。
【０００５】
【発明が解決しようとする課題】
しかしながら、従来の２軸方式の写真フイルムカートリッジにおいては、蓋部分がパトローネ室からフイルムロール室まで一体に形成されており、現像所にてパトローネを取り出す際に、カートリッジ本体の破損や部品の脱落などが発生していた。また、蓋部分を開放するのに手間がかかるという難点があった。
【０００６】
本発明は上記背景を考慮してなされたものであり、ユーザーによるフイルム交換操作が簡便で、しかもカートリッジ本体から手間をかけずに容易にパトローネを取り出すことが可能な写真フイルムカートリッジを提供することを目的とする。
【０００７】
【課題を解決するための手段】
前記課題を解決するため本発明の写真フイルムカートリッジは、回転自在な巻軸を備えた遮光性のフイルムパトローネを収納するパトローネ室と、一端を巻軸に係止してロール状にしたフイルムを収納するフイルムロール室と、パトローネ室とフイルムロール室とを接続してフイルムに展延部分を形成し、展延部分の前面に１コマ分の露光を与える露光用開口を設けたブリッジ部とを備えた２軸方式の写真フイルムカートリッジのパトローネ室に蓋を設けることにより、部品を破損させること無くカートリッジ本体からフイルムパトローネを外部に取り出せるようにしたものである。
【０００８】
また、蓋はカートリッジ本体のケース部材に設けられた溝を回転中心として開閉され、蓋に設けられた突起部が、パトローネ室に設けられた開口に係合することにより蓋が閉じられるようにしたものである。
【０００９】
【発明の実施の形態】
第１の実施例として、パトローネ室の底面に開放蓋を設けた写真フイルムカートリッジ１０の外観図を図１に示す。カートリッジ本体１１を分解した状態を示す図２において、この写真フイルムカートリッジ１０は、国際標準規格（ＩＳＯ１００７−１９７９版）で規格化された１３５フイルム１２及びパトローネ１４を収納するために用いられる。カートリッジ本体１１は、ホルダー容器１６と、このホルダー容器１６の背面を覆う遮光蓋１８とからなる。この遮光蓋１８には、パトローネ室２０の底面を覆う開放蓋１８ａが設けられており、その下方には突起１８ｂが設けられている。また、開放蓋１８ａには、図に示すように溝１８ｃが設けられている。開放蓋１８ａは、この溝１８ｃを回転中心として図に示す矢印の方向に折り曲げ可能であり、図中の点線で示す部分まで折り曲げられる。
【００１０】
ホルダー容器１６はプラスチックの一体形成品として作成され、１３５フイルム１２の一端をパトローネ軸１４ａに接続したパトローネ１４を収納するパトローネ室２０と、パトローネ１４から予め引き出されロール状にされた未露光フイルム１２ａを収納するフイルムロール室２２と、これらの間の１３５フイルム１２に展延部分１２ｂを形成するためのブリッジ部２４とを備えている。ブリッジ部２４には、フイルム展延部分１２ｂを１コマ分露光させるための露光用開口２６が形成されている。
【００１１】
フイルムロール室２２と露光用開口２６の間には、遮光手段としてテレンプ３０がフイルム１２を挟んで２部材配置されており、ホルダー容器１６及び遮光蓋１８にそれぞれ固定されている。このテレンプ３０は、フイルムロール室２２内の未露光フイルム１２ａが、露光用開口２６からの光によって感光されることを防ぐ遮光手段として用いられている。
【００１２】
前記パトローネ室２０には２つの開口部が設けられており、第１の開口２８は、パトローネ室２０の上面に設けられている。この開口２８は、パトローネ１４及び１３５フイルム１２をホルダー容器１６に対して縦軸方向に装填することによってパトローネ軸１４ａを外部に露出させるためのものであり、その内周面にはテレンプなどの遮光材が貼付されている。また、第２の開口２０ａは、パトローネ室２０の前面の下方に設けられており、前述した蓋部１８ａに設けられた突起１８ｂが開口２０ａにより係合されることにより、パトローネ室２０は開放蓋１８ａにより閉じられ、パトローネ１４が固定される。
【００１３】
図３は、第１の実施例の写真フイルムカートリッジ１０の開放蓋１８ａを開放してパトローネ１４を取り出した状態を示している。また、開放蓋１８を開放する方法は、図４のパトローネ室２０の断面図に示すように、パトローネ室２０の前面に設けられた開口２０ａにドライバ４０のような先端の尖ったものを差込み、開口２０ａに係合されている突起１８ｂを押圧することにより、開放蓋１８ａが開放され、パトローネ１４が取り出される。
【００１４】
また第２の実施例として、第１の実施例にてパトローネ室２０の底面に設けた開放蓋の形状を変形した写真フイルムカートリッジ４０の外観斜視図を図５に示す。図５は、写真フイルムカートリッジ４０にパトローネ１４が装填された状態を示しており、図６は、開放蓋４６を開放してパトローネ１４を取り出した状態を示している。図５及び図６に示すように写真フイルムカートリッジ４０のパトローネ室４２の前面下方には、開口４２ａが設けられており、パトローネ室４２の底面には開放蓋４６が開閉自在に設けられている。この開放蓋４６の先端部には、突起４６ａ、開放蓋４６の取付部分には溝４６ｂが設けられている。この溝４６ｂを回転中心として蓋部４６が開閉される。
【００１５】
また、開放蓋４６に設けられた突起４６ａが、開口４２ａに係合されることにより、パトローネ室４２が開放蓋４６により閉じられ、パトローネ１４が固定される。図７は、パトローネ室４２の断面図を示しており、図中点線で示す部分は開放蓋４６を閉じた状態を示しており、図中実線で示す開放蓋４６は開放した状態を示している。パトローネ室４２からパトローネ１４を取り出す場合、パトローネ１４の底面と開放蓋４６との間に形成される隙間４７に第１の実施例で示したドライバ４０のような先端が尖ったものを挿入し、開放蓋４６を手前に押し倒すようにして開放され、パトローネ１４が取り出される。第２の実施例は第１の実施例に比べ、ドライバなどを挿入する空間が大きいため、作業性に優れている。
【００１６】
次に第３の実施例として、パトローネ室の背面に開放蓋を設けた写真フイルムカートリッジ５０の外観図を図８及び図９に示す。図８は、パトローネ１４を装填した状態であり、図９はパトローネ１４を取り出した状態を示している。写真フイルムカートリッジ５０は、図８及び図９に示すように、パトローネ室５３の背面に開放蓋５５が設けており、遮光蓋５４に設けられた溝５４ａを回転中心として開閉される。
【００１７】
開放蓋５５の側面には、突起部５５ａ及び２つの開口５５ｂが設けられている。また、パトローネ室５３の外側面には、２つの突起５３ａが設けられている。この２つの突起５３ａが、開放蓋５５の外側面の２つの開口５５ｂにより、係合されることによりパトローネ室５３が開放蓋５５により閉じられ、パトローネ１４が固定される。この開放蓋５５は、その側面に設けられた突起５５ａを人間の指で図中上方向に持ち上げることにより簡単に開放可能である。
【００１８】
このように構成された写真フイルムカートリッジは以下に説明するように使用される。図１０に示すように、第３の実施例の写真フイルムカートリッジ５０は裏蓋６２を開放してカメラ６１に背面側から装填される。写真フイルムカートリッジ５０を装填すると、パトローネ収納室５３の上面側に突出したパトローネ軸１４ａの内歯に巻上げノブ６４の下面に一体化された外歯が噛合し、巻上げノブ６４の回転操作によって操作済みのフイルム１２がパトローネ１４に巻き込まれる。巻上げノブ６４には、カメラボディ内部で計尺用ギヤが噛合しており、この計尺用ギヤが一定角度回転したときに巻止め機構が作動して巻上げノブ６４の回転操作をロックする。また、計尺用ギヤが前記一定角度回転する間に、次回の撮影のためのシャッタコッキングが行われる。
【００１９】
上述したフイルム装填操作により、露光開口から露呈しているフイルム１コマ分は外光に曝されるため撮影に使用することはできないが、フイルム収納室５２内のフイルムはテレンプ３０で遮光されているので、カメラの裏蓋６２を閉じた後、巻上げノブ６４を回転操作してフイルム巻上げを行えば未露光のフイルムが露光用の開口６５に対面する位置まで送られ、第１コマ目の撮影を行うことができる。以降は、シャッタボタン６６の押下操作と巻上げノブ６４の回転操作とを交互に行うことにより、順次に撮影が行われるようになる。
【００２０】
全コマに撮影を終え、最終コマのフイルム巻上げを行った後に裏蓋６２を開放して写真フイルムカートリッジ５０を取り出す。撮影済みのフイルムは全てフイルムパトローネ１４に巻き込まれているから、写真フイルムカートリッジの取り出し操作を戸外や明室で行うこともできる。撮影を続行する場合には、同様にして新たな写真フイルムカートリッジを装填すればよい。
【００２１】
カメラから取り出した写真フイルムカートリッジはそのまま現像取扱店を経て現像所に送られる。現像所では、写真フイルムカートリッジ５０のパトローネ室５３に設けられた開放蓋５５を開放することにより、手間を掛けずに容易にパトローネ１４を取り出すことが可能である。従来のようにフイルムパトローネ単位での取り扱いで現像処理を行うことができる。また、フイルムパトローネ及びフイルムとして１３５タイプのものが用いられているので、一般に普及している従来の現像処理システムを利用して効率的にプリントサービスを行うことができる。
【００２２】
写真フイルムカートリッジの使用について、第３の実施例を用いて説明したが、第１及び第２の実施例である写真フイルムカートリッジ１０及び４０についても全く同様に取り扱われる。また、本発明に用いるフイルム及びパトローネは、必ずしも１３５タイプのものでなくてもよい。例えば１１０型フイルムカートリッジに使用した場合でも、同様の効果が期待できる。
【００２３】
また、本実施例では開放蓋をカートリッジ本体のケース部材に一体に設け、ケース部材に設けた溝を回転中心として開閉されるように説明したが、ヒンジ構造による蓋を形成しても良い。
【００２４】
【発明の効果】
上述のように、本発明の写真フイルムカートリッジは、２軸方式の写真フイルムカートリッジのパトローネ室に開放蓋を設け、カートリッジ本体のケース部材に設けた溝を回転中心として開閉され、開放蓋に設けられた突起部が、パトローネ室に設けられた開口に係合することにより開放蓋が閉じられるようにしたので、現像所等でパトローネを取り出す際に、手間を掛けずに容易に取り出すことが可能であり、カートリッジ本体の破損や部品の脱落等の恐れが軽減される。
【図面の簡単な説明】
【図１】第１の実施例である写真フイルムカートリッジの外観斜視図である。
【図２】図１の写真フイルムカートリッジの分解斜視図である。
【図３】図１の写真フイルムカートリッジからパトローネを取り出した状態を示す斜視図である。
【図４】図１の写真フイルムカートリッジのパトローネ室の断面図である。
【図５】第２の実施例である写真フイルムカートリッジの外観斜視図である。
【図６】図５の写真フイルムカートリッジからパトローネを取り出した状態を示す斜視図である。
【図７】図５の写真フイルムカートリッジのパトローネ室の断面図である。
【図８】第３の実施例の写真フイルムカートリッジの外観斜視図である。
【図９】図８の写真フイルムカートリッジからパトローネを取り出した状態を示す斜視図である。
【図１０】本発明の写真フイルムカートリッジとカメラの外観斜視図である。
【符号の説明】
１０　写真フイルムカートリッジ
１４　パトローネ
１４ａ　パトローネ軸
１８　遮光蓋
１８ａ　開放蓋
１８ｂ　突起
１８ｃ　溝
２０　パトローネ室
２０ａ　開口
４０　写真フイルムカートリッジ
４２　パトローネ室
４２ａ　開口
４６　開放蓋
４６ａ　突起
４６ｂ　溝
５０　写真フイルムカートリッジ
５３　パトローネ室
５３ａ　突起
５５　開放蓋
５５ａ　突起
５５ｂ　開口
【図１】
2004004172.tif 000003
【図２】
2004004172.tif 000004
【図３】
2004004172.tif 000005
【図４】
2004004172.tif 000006
【図５】
2004004172.tif 000007
【図６】
2004004172.tif 000008
【図７】
2004004172.tif 000009
【図８】
2004004172.tif 000010
【図９】
2004004172.tif 000011
【図１０】
2004004172.tif 000012